(57)【要約】【課題】  臨床検査用自動分析装置で用いられる試薬収容容器において、容器の成形がし易く、凍結乾燥処理を行うことが可能であり、安価な、試薬を収容可能な臨床検査用試薬収容容器を提供することを目的とする。【解決手段】  本発明は、臨床検査用試薬を収容し、臨床検査用自動分析装置に用いられる臨床検査用試薬収容容器であって、シクロオレフィンコポリマーを一体成形することにより得られ、凍結乾燥処理に適用可能であることを特徴とする臨床検査用試薬収容容器を提供する。【選択図】図１
2010236926.tif 000002
【特許請求の範囲】
【請求項１】
臨床検査用試薬を収容し、臨床検査用自動分析装置に用いられる臨床検査用試薬収容容器であって、
シクロオレフィンコポリマーを一体成形することにより得られ、
凍結乾燥処理に適用可能であることを特徴とする臨床検査用試薬収容容器。
【請求項２】
前記シクロオレフィンコポリマーが、エチレンとノルボルネンまたはテトラシクロドデセンとの共重合体である、請求項１に記載の臨床検査用試薬収容容器。
【請求項３】
臨床検査用試薬が、臨床検査用自動分析装置のキャリブレータ試料またはコントロール試料であることを特徴とする、請求項１または２に記載の臨床検査用試薬収容容器。
【請求項４】
臨床検査用試薬が、所定の検査項目の検査試薬であることを特徴とする、請求項１または２に記載の臨床検査用試薬収容容器。
【請求項５】
臨床検査用自動分析装置が血液凝固検査用自動分析装置であって、臨床検査用試薬が血液凝固検査用試薬である、請求項１または２のいずれかに記載の臨床検査用試薬収容容器。
【請求項６】
前記容器は、インジェクションブロー方式により成形される、請求項１〜５のいずれかに記載の臨床検査用試薬収容容器。
【請求項７】
血液凝固検査用試薬を収容する容器であって、
シクロオレフィンコポリマーで一体成形されていることを特徴とする血液凝固検査用試薬収容容器。
【請求項８】
血液凝固検査用試薬は、血液凝固検査用自動分析装置のキャリブレータ血漿またはコントロール血漿であることを特徴とする、請求項７に記載の血液凝固検査用試薬収容容器。
【請求項９】
血液凝固検査用試薬は、プロトロンビン時間測定試薬、活性化部分トロンボプラスチン時間測定試薬、フィブリン濃度測定試薬または複合因子測定試薬のいずれかである、請求項８に記載の血液凝固検査用試薬収容容器。
【発明の詳細な説明】
【技術分野】
【０００１】
本発明は、臨床検査用自動分析装置で用いる臨床検査用試薬収容容器に関する。
【背景技術】
【０００２】
生体から採取された血液等を分析する臨床検査用自動分析装置として、血液凝固自動分析装置、免疫自動分析装置及び生化学自動分析装置などが知られている。これら臨床検査用自動分析装置においては、所定の検査項目の試薬を収容した試薬容器を試薬設置部に設置することにより、その試薬を用いて自動的に検体の分析を行うことができる。このような自動分析装置に使用される試薬容器として、特許文献１の図１に示される平底の試薬容器、特許文献２の図２に示される自動測定用の容器など様々な形状の試薬容器が使用されている。様々な形状の試薬容器を作製する場合には、コストや成形の容易性を考慮すると、樹脂製のものが好ましい。特許文献２にはこのような容器を形成するための樹脂として、ポリエチレン、ポリプロピレン、ポリメチルペンテン、ポリブテン、結晶性ポリブタジエン、ポリフェニレンサルファイド、塩素化ポリエーテル、環状ポリオレフィン、及びポリエチレンテレフタレート等が挙げられている。
特許文献２記載の技術は、光透過性に優れ、かつ液状試薬の保存性に優れた容器を提供することを課題とする技術である。この技術課題を解決するために、実施例では、ポリプロピレンを用いた樹脂製容器が記載されている。
しかしながら、凍結乾燥試薬の場合、試薬容器に対象試薬をいれて−４０℃から−５０℃の低温で凍結し、真空排気後、乾燥することにより製造される。このため、ポリプロピレン製の試薬容器では凍結乾燥処理に伴う温度変化や圧力変化に対して十分な強度がない。このような事情から、凍結乾燥試薬用の試薬容器としては、一般的にガラス製の試薬容器が使用されている。
一方、血液凝固自動分析装置でキャリブレータ試料やコントロール試料として用いられている血漿試薬は凍結乾燥試薬であるが、血漿試薬中に含まれる血液凝固因子とガラスのような陰性荷電を有する固相とが接触することにより血液凝固因子が活性化するため、ガラス製の試薬容器に血漿試薬をそのまま収容することができない。そのため血漿試薬用の試薬容器としては、一般的に容器の内壁がシリコナイズ処理されたガラス製の試薬容器が使用されている。しかしながら、この試薬容器では、シリコナイズ処理を施すコストがかかるという問題がある。また、シリコナイズ処理が不均一であれば容器間差が生じ正確な検査の妨げになるため、試薬容器の品質管理を行う必要性が生じる。
【先行技術文献】
【特許文献】
【０００３】
【特許文献１】特開２０００−４６６２４号公報
【特許文献２】特開２００４−２５１６３８号公報
【発明の概要】
【発明が解決しようとする課題】
【０００４】
本発明は以上のような事情に鑑みてなされたものであり、その目的は、臨床検査用自動分析装置で用いられる試薬容器において、容器の成形が容易で、凍結乾燥処理を行うことが可能であり、安価な、試薬を収容可能な臨床検査用試薬収容容器を提供することを目的とする。
【課題を解決するための手段】
【０００５】
上記課題に鑑み、本発明は、臨床検査用試薬を収容し、臨床検査用自動分析装置に用いられる臨床検査用試薬収容容器であって、シクロオレフィンコポリマーを一体成形することにより得られ、凍結乾燥処理に適用可能であることを特徴とする臨床検査用試薬収容容器を提供するものである。
【発明の効果】
【０００６】
本発明の臨床検査試薬用容器によれば、容器の成形が容易で、凍結乾燥処理を行うことが可能であり、安価な、試薬を収容可能な臨床検査用試薬収容容器を提供することができる。
【図面の簡単な説明】
【０００７】
【図１】本発明の一実施形態に係る臨床検査用試薬収容容器１を示す斜視図である。
【図２】図１の容器本体２の中心軸線Ａ−Ａ’を含む断面図である。
【図３】ＣＯＣ製容器で容器間差試験を行った結果を示した表である。
【図４】シリコナイズ処理を施したガラス製容器の容器間差試験を行った結果を示した表である。
【図５】保存安定性試験としてプロトロンビン時間を測定した結果を示すグラフである。
【図６】保存安定性試験として部分トロンボプラスチン時間を測定した結果を示すグラフである。
【図７】保存安定性試験としてフィブリン濃度を測定した結果を示すグラフである。
【図８】保存安定性試験としてトロンボテストを行った結果を示すグラフである。
【図９】保存安定性試験としてヘパプラスチンテストを行った結果を示すグラフである。
【発明を実施するための形態】
【０００８】
本実施形態で用いられる臨床検査用試薬収容容器とは、血液凝固自動分析装置、免疫自動分析装置及び生化学自動分析装置等の臨床検査用自動分析装置で用いられる臨床検査用試薬を収容する試薬容器である。
【０００９】
シクロオレフィンコポリマーとは、環状オレフィンとエチレン等のオレフィンとの共重合体である非結晶性の環状オレフィン系樹脂のことである。環状オレフィンは、多環式の環状オレフィンと単環式の環状オレフィン類とがあり、多環式の環状オレフィンとしては、ノルボルネン、メチルノルボルネン、ジメチルノルボルネン、エチルノルボルネン、エチリデンノルボルネン、ブチルノルボルネン、ジシクロペンタジエン、ジヒドロジシクロペンタジエン、メチルジシクロペンタジエン、ジメチルジシクロペンタジエン、テトラシクロドデセン、メチルテトラシクロドデセン、ジメチルシクロテトラドデセン、トリシクロペンタジエン、テトラシクロペンタジエンなどが挙げられ、単環式の環状オレフィンとしては、シクロブテン、シクロペンテン、シクロオクテン、シクロオクタジエン、シクロオクタトリエン、シクロドデカトリエンなどが挙げられる。
本実施形態におけるシクロオレフィンコポリマーとしては、凍結乾燥処理に伴う温度変化や圧力変化に対して十分な強度がある環状オレフィン系樹脂であれば特に限定されない。好ましくは、エチレンとノルボルネンとの共重合体や、エチレンとテトラシクロドデセンとの共重合体による樹脂である。エチレンとノルボルネンとの共重合体は「TOPAS（登録商標）：ポリプラスチックス社製」として、エチレンとテトラシクロドデセンとの共重合体は「APEL（登録商標）：三井化学株式会社製」として市販されている。
【００１０】
本実施形態で用いられる試薬容器の形状は、自動分析装置において、試薬容器が設置される試薬設置部の形状や使用される試薬の量に合わせて成形することができる。
例えば、図１及び図２に示す試薬容器が挙げられる。図１は、本発明の一実施形態に係る臨床検査用試薬収容容器１の斜視図であり、図２は図１の容器本体２の中心軸線Ａ−Ａ’を含む断面図である。臨床検査用試薬収容容器１は、容器本体２と蓋体３とから成る。容器本体２は、上端側に開口部４を有し、下端側に底部５を有する円筒形状の外観を有している。蓋体３は前記開口部４に螺合し、前記容器本体２の開口部４を閉鎖する。底部５の内面は、平底状の内底面５ａを有している。
【００１１】
上記容器本体２を一体成形する方法としては、様々な形状に成形することが可能であるインジェクションブロー成形が好ましい。
【００１２】
本実施形態における臨床検査用試薬としては、臨床検査用自動分析装置で用いられる試薬であれば特に限定されないが、例えば血液凝固自動分析装置、免疫自動分析装置及び生化学自動分析装置で用いられる所定の検査項目の検査試薬が挙げられる。
【００１３】
所定の検査項目とは、臨床検査用自動分析装置で分析される、診断の指標となる項目を示す。具体的には、血液凝固検査では、ＰＴ（プロトロンビン時間）、ＡＰＴＴ（活性化部分トロンボプラスチン時間）、フィブリノーゲンなどの基本項目から、複合因子であるＴＴＯ、ＨＰＴ、合成基質法によるＡＴIII、ＰＬＣ、免疫比濁法によるＦＤＰ、Ｄｄｉｍｅｒなど様々な検査項目がある。
これら所定の検査項目を測定する場合、検査項目に応じた試薬を用いる。例えば、血液凝固検査用試薬の場合、ＰＴ測定ではトロンボチェックＰＴプラス（シスメックス社製）、ＡＰＴＴ測定ではトロンボチェックＡＰＴＴ−ＳＬＡ（シスメックス社製）、フィブリン濃度測定ではトロンボチェックＦｉｂ（シスメックス社製）、複合因子測定では、複合因子Ｔ「コクサイ」（シスメックス社製）等が用いられる。
【００１４】
また、臨床検査用試薬には、キャリブレータ試料やコントロール試料も含まれる。
キャリブレータ試料は、臨床検査用自動分析装置の較正に用いられる試料である。例えば、血液凝固自動分析装置では、キャリブレータ試料としてヒト血漿が用いられ、具体的にはコアグトロールＮ（シスメックス社製）等が挙げられる。このヒト血漿は、凍結乾燥処理されることにより保存が容易となり、使用時に精製水で溶解して用いられる。
【００１５】
コントロール試料は、検査項目を測定する場合の標準として用いられる試料である。例えば血液凝固自動分析装置では、コントロール試料としてヒト血漿が用いられ、具体的にはコアグトロールIＸ・IIＸ（シスメックス社製）が挙げられる。このヒト血漿は、キャリブレータ用血漿と同様、凍結乾燥処理されている。
【００１６】
凍結乾燥処理を行う試薬は、容器に対象試薬をいれて−４０℃から−５０℃の低温で凍結し、真空排気後、乾燥することにより製造される。このため臨床検査用試薬収容容器は、凍結乾燥処理に伴う温度変化や圧力変化に対して十分な強度が必要となる。そのため、一般的にガラス製の試薬容器が用いられている。しかしながら前記ヒト血漿のような血液凝固因子を含む血漿試薬は、血液凝固因子とガラスのような陰性荷電を有する固相とが接触すると、血液凝固因子が活性化する。このため、ガラス製の容器を用いる場合には、容器内面をシリコナイズ処理する必要がある。本実施形態で用いられる試薬容器は、血漿試薬をそのまま収容しても血液凝固因子は活性化されないので、このような血液凝固因子を含む試薬を収容する容器として特に適している。
以下に本発明の臨床検査用試薬収容容器の一実施形態において、凍結乾燥処理を行った場合の血液凝固因子を含む血漿試薬の安定性試験および容器間差試験を実施した例を示す。
【実施例】
【００１７】
以下の実施例では、ヒト血漿を用いてシクロオレフィンコポリマー（以下ＣＯＣと記載する。）で成形された試薬容器の容器間差試験及び安定性試験を実施した結果を記載する。
【００１８】
実施例１：ＣＯＣで成形された容器の容器間差試験
エチレンとノルボルネンとの共重合体（TOPAS（登録商標）：ポリプラスチックス社製）を用いて、インジェクションブロー成形によりＣＯＣ製容器を作製した。このＣＯＣ製容器にヒト血漿１mＬを収容し、ＣＯＣ製容器の開口部を半打栓した。
次にＣＯＣ製容器に収容された血漿の凍結乾燥を行った。凍結乾燥は、−７０℃〜−１０℃程度で凍結させ、その後、高真空下で乾燥を行った。乾燥時の温度は−４０℃〜４℃程度とした。凍結乾燥処理後、ＣＯＣ製容器の開口部を閉栓した。
凍結乾燥処理後のＣＯＣ製容器において、強度低下による割れや変形、透明性低下による白濁等は見られなかった。
【００１９】
〔試験方法〕
凍結乾燥されたヒト血漿を用いて、容器間差試験を行った。
容器間差試験は、プロトロンビン時間、活性化部分トロンボプラスチン時間、フィブリン濃度時間、トロンボテスト及びヘパプラスチンテストの検査項目を測定して試験を行った。測定装置として血液凝固測定装置コアグレックス（シスメックス社製）を使用し、測定試薬としてトロンボチェックＰＴ、トロンボチェックＡＰＴＴ、トロンボチェックＦｉｂ、複合因子・Ｔ「コクサイ」、複合因子・Ｈ「コクサイ」（シスメックス社製）を使用し、上記測定装置の取扱説明書に従って各検査項目について２０検体ずつ測定した。
各検査項目において２０検体測定した結果から、平均値（ＡＶＧ．）標準偏差（ＳＤ）変動係数（ＣＶ）を算出した。
【００２０】
比較例１
実施例１のＣＯＣ製容器を、シリコナイズ処理を施したガラス製容器を用いた以外は上記実施例１と同様の方法を用いて測定した。
【００２１】
結果
実施例１および比較例１で得られた結果を図３及び図４に示す。実施例１および比較例１で得られた結果を比較すると、各検査項目において、ガラス製容器よりもＣＯＣ製容器の方がＣＶの値（％）が小さかった。このため、ＣＯＣ製容器は上記試薬において、ガラス容器よりも容器間差が少ないことがわかる。よってＣＯＣ製容器はガラス製容器と同等以上に使用可能であることが示された。
【００２２】
実施例２：ＣＯＣで成形された容器に収容されたヒト血漿の２〜８℃における安定性試験。
エチレンとノルボルネンとの共重合体（TOPAS（登録商標）：ポリプラスチックス社製）を用いて、インジェクションブロー成形によりＣＯＣ製容器を作製した。このＣＯＣ製容器にヒト血漿１mＬを収容し、ＣＯＣ製容器の開口部を半打栓した。
次にＣＯＣ製容器に収容された血漿の凍結乾燥を行った。凍結乾燥は、−７０℃〜−１０℃程度で凍結させ、その後、高真空下で乾燥を行った。乾燥時の温度は−４０℃〜４℃程度とした。凍結乾燥処理後、ＣＯＣ製容器の開口部を閉栓した。
凍結乾燥処理後のＣＯＣ製容器において、強度低下による割れや変形、透明性低下による白濁等は見られなかった。
【００２３】
〔試験方法〕
凍結乾燥されたヒト血漿を２〜８℃で０、３０，６０，９０、１２０、１８０日間保管し、それぞれの期間保管した後のヒト血漿を用いて安定性試験を行った。
安定性試験は、プロトロンビン時間測定、活性化部分トロンボプラスチン時間測定、フィブリン濃度時間測定、トロンボテスト及びヘパプラスチンテストを行った。各検査を行うための測定装置として血液凝固測定装置コアグレックス（シスメックス社製）を使用し、検査試薬としてトロンボチェックＰＴ、トロンボチェックＡＰＴＴ、トロンボチェックＦｉｂ、複合因子・Ｔ「コクサイ」、複合因子・Ｈ「コクサイ」（シスメックス社製）を使用し、上記測定装置の取扱説明書に従って上記検査項目を測定した。
【００２４】
比較例２
実施例２のＣＯＣ製容器の代わりにガラス製容器にシリコナイズ処理を施したものを用いた以外は上記実施例と同様の方法を用いて測定した。
【００２５】
結果
実施例２及び比較例２で得られた結果を図５〜図９に示す。図５〜図９は、０日保管した血漿の測定結果を１００％としたときの、各日数保管した血漿の測定結果を各検査項目においてグラフ化したものである。
実施例２と比較例２とを比較すると、図５〜図９において、保存安定性においては、シリコナイズ処理を施したガラス製容器とＣＯＣ製容器とでは長期安定性においてほとんど差は見られなかった。このことから、ＣＯＣ製容器は、従来使用されていたガラス製容器と同等に使用可能であることが示された。
【図１】
2010236926.tif 000003
【図２】
2010236926.tif 000004
【図３】
2010236926.tif 000005
【図４】
2010236926.tif 000006
【図５】
2010236926.tif 000007
【図６】
2010236926.tif 000008
【図７】
2010236926.tif 000009
【図８】
2010236926.tif 000010
【図９】
2010236926.tif 000011
【手続補正書】
【提出日】平成21年4月1日(2009.4.1)
【手続補正１】
【補正対象書類名】明細書
【補正対象項目名】００１３
【補正方法】変更
【補正の内容】
【００１３】
所定の検査項目とは、臨床検査用自動分析装置で分析される、診断の指標となる項目を示す。具体的には、血液凝固検査では、ＰＴ（プロトロンビン時間）、ＡＰＴＴ（活性化部分トロンボプラスチン時間）、フィブリノーゲンなどの基本項目から、複合因子であるＴＴＯ、ＨＰＴ、合成基質法によるＡＴIII、ＰＬＧ、免疫比濁法によるＦＤＰ、Ｄｄｉｍｅｒなど様々な検査項目がある。
これら所定の検査項目を測定する場合、検査項目に応じた試薬を用いる。例えば、血液凝固検査用試薬の場合、ＰＴ測定ではトロンボチェックＰＴプラス（シスメックス社製）、ＡＰＴＴ測定ではトロンボチェックＡＰＴＴ−ＳＬＡ（シスメックス社製）、フィブリン濃度測定ではトロンボチェックＦｉｂ（シスメックス社製）、複合因子測定では、複合因子・Ｔ「コクサイ」（シスメックス社製）等が用いられる。